(57)【要約】  【課題】  プルタブ缶を用いた商品の商品イメージを向上させるとともに、プルタブ缶のリサイクルに対する需要者の関心を喚起すること。  【解決手段】  上蓋部Ａ２に形成したプルタブＡ４に、所定形状の貫通孔１が設けられているプルタブ缶Ａを提供する。プルタブＡ４に、所定形状の貫通孔１を設けることにより、プルタブ缶Ａを用いた商品の商品イメージを向上させることができる。加えて、本考案に係るプルタブ缶Ａは、所定の図柄３が、上蓋部Ａ２に施されており、かつ、その図柄３が、未開缶時にプルタブＡ４が重なる領域３１に配置されている構成にしてもよい。これにより、需要者は、開缶時に、その図柄に注目するため、プルタブ缶のリサイクルに対する需要者の関心を喚起することができる。  【選択図】  図２
0003114478.tif 000002
【実用新案登録請求の範囲】
【請求項１】
上蓋部に形成したプルタブに、所定形状の貫通孔が設けられているプルタブ缶。
【請求項２】
所定の図柄が、前記上蓋部に施されており、かつ、該図柄は、未開缶時に前記プルタブが重なる領域に配置されていることを特徴とする請求項１記載のプルタブ缶。
【請求項３】
前記図柄に関連する文字が、前記上蓋部に記述されていることを特徴とする請求項２記載のプルタブ缶。
【請求項４】
前記プルタブは、上蓋部との連結部位を有し、
前記連結部位の近傍には、所定の切込みが設けられていることを特徴とする請求項１から請求項３のいずれか一項記載のプルタブ缶。
【考案の詳細な説明】
【技術分野】
【０００１】
本考案は、飲料缶や食料缶など、上蓋部にプルタブを形成したプルタブ缶に関する。より詳細には、上蓋部に形成したプルタブに、ハート型など所定形状の貫通孔を設けたプルタブ缶に関する。
【背景技術】
【０００２】
飲料缶としてアルミ缶及びスチール缶が、食料缶としてスチール缶が、広く用いられている。
【０００３】
アルミ缶は、アルミニウムを原料にした缶で、炭酸飲料・ビールなど、内圧の高い飲料用の缶として普及している。また、近年は、不活性ガスを充填することにより、清涼飲料水などの缶としても適用されている。
一方、スチール缶は、鉄を原料にした缶で、コーヒーをはじめとする飲料缶や缶詰め用の食料缶などに広く用いられている。
なお、スチール缶の場合、プルタブ部分は、アルミニウムを原料としている。
【０００４】
従前の飲料缶は、開缶時に、缶本体とプルタブ部分を分離させる構成であったため、プルタブ（プルトップ）が路上や山林などに捨てられ、問題となった。
それに対し、例えば、プルタブ（プルトップ）を回収して、アルミニウムとしてリサイクルし、その代金で、車椅子を購入し、その車椅子を学校などに寄贈する運動が行われ、現在も継続されている。この運動は、プルタブ（プルトップ）の回収を促し、環境保護上、一定の成果を上げている。
【０００５】
また、近年、飲料缶は、環境保護などの観点から、開缶時にも、缶本体とプルタブとが分離しない構成になっているものが多い。
それらの缶は、缶ごと回収され、アルミニウム又は鉄資源として、リサイクルされる。
【０００６】
なお、本考案に関連する先行文献として、例えば、特許文献１には、開缶時に、プルトップが缶本体から切り離される構成のプルトップ缶が、特許文献２には、蓋面に突起を設け、その上にタブを回転させることにより、タブのつまみ部分をつまみやすくしたプルトップが、それぞれ記載されている。
【特許文献１】実開平６−５９２２５号公報
【特許文献２】特開平１０−２３６４７５号公報
【考案の開示】
【考案が解決しようとする課題】
【０００７】
缶の形状は、商品イメージの重要な要素となる。しかしながら、従来のプルタブ缶は、プルタブ部分の形状について、あまり考慮されていなかった。
【０００８】
一方、プルタブ缶のリサイクルをさらに広く普及させるためには、一般需要者のリサイクルに対する意識を向上させる必要がある。
【０００９】
そこで、本考案は、プルタブ缶を用いた商品の商品イメージを向上させるとともに、プルタブ缶のリサイクルに対する需要者の関心を喚起することを主な目的とする。
【課題を解決するための手段】
【００１０】
本考案では上蓋部に形成したプルタブに、所定形状の貫通孔が設けられているプルタブ缶を提供する。
【００１１】
プルタブ缶のプルタブに、所定形状の貫通孔を設けることにより、プルタブ缶を用いた商品の商品イメージを向上させることができる。
【００１２】
加えて、本考案に係るプルタブ缶は、所定の図柄が、上蓋部に施されており、かつ、その図柄が、未開缶時にプルタブが重なる領域に配置されている構成にしてもよい。
【００１３】
前記の通り、本考案では、プルタブに、所定形状の貫通孔が設けられているため、需要者は、開缶時にプルタブに注目する。その際、需要者は、プルタブの貫通孔を通して、缶の上蓋部に図柄が施されていることに気付く。
従って、例えば、リサイクルを連想させる図柄を、上蓋部表面の、未開缶時にプルタブが重なる領域に配置しておくことにより、需要者は、開缶時に、その図柄に注目するため、プルタブ缶のリサイクルに対する需要者の関心を喚起することができる。
【００１４】
加えて、プルタブ缶の上蓋部に、前記図柄に関連する文字を記述しておいてもよい。これにより、需要者は、より直接的に、プルタブ缶のリサイクルに対する需要者の関心を喚起することができる。
【００１５】
なお、プルタブ缶の上蓋部に施される図柄は、リサイクルを連想させる図柄に限定されない。即ち、ある特定のメッセージ又はコンセプトがある場合、そのメッセージなどを連想させる図柄を、プルタブ缶の上蓋部に施したり、プルタブ缶の上蓋部に、そのメッセージなどに関連する文字を記述しておいたりすることにより、そのメッセージなどを需要者に伝えることができる。
【考案の効果】
【００１６】
本考案により、プルタブ缶を用いた商品の商品イメージを向上させることができる。加えて、例えば、プルタブ缶の上蓋部に所定の図柄を施すことにより、特定のメッセージ又はコンセプトを需要者に伝えることができる。
【考案を実施するための最良の形態】
【００１７】
本考案を実施するための好適な形態について、図１及び図２を用いて、以下説明する。
【００１８】
図１は、未開缶時における飲料缶の例を示す外観斜視模式図、図２は、開缶時における飲料缶の例を示す外観斜視模式図である。
なお、本考案に係るプルタブ缶は、図１又は図２に示すような飲料缶のみに狭く限定されず、缶詰などの食料缶にも適用可能である。
【００１９】
図１及び図２に示す飲料缶Ａは、缶Ａの胴体部分を形成する有底円筒形状の缶本体部Ａ１と、缶本体部Ａ１の上縁Ａ１１にかしめられた上蓋部Ａ２と、上蓋部Ａ２に設けられ、開缶時に開口する開口部Ａ３と、上蓋部Ａ２と連結し、連結部分を支点にして開口部Ａ３を開口させるプルタブＡ４と、を備える。
プルタブＡ４には、所定形状の貫通孔１と、上蓋部Ａ２との連結部位２とが設けられている。
また、上蓋部Ａ２には、所定の図柄３（図２参照）と、所定の文字４が、それぞれ配置されている。
【００２０】
貫通孔１は、プルタブＡ４に設けられた所定形状（図１及び図２ではハート型）の孔であり、開缶時において、プルタブＡ４を上側に引き上げる際に、指を掛ける部分である。
本考案では、貫通孔１を、ハート型、星型、スペード型、クラブ型、ダイヤモンド型、三角型、四角型、台形型、多角型など、所定形状に形成する。
これにより、プルタブ缶を用いた商品の商品イメージを向上させることができる。
なお、各形状の貫通孔１は、公知の方法により、製造できる。
【００２１】
連結部位２は、上蓋部Ａ２とプルタブＡ４とを連結する部位である。開缶時において、プルタブＡ４の一端（符号Ａ４１）を、連結部位２を支点として、上方へ引き上げると、プルタブＡ４の他端（符号Ａ４２）が開口部Ａ３を押し下げるため、開口部Ａ３は、せん断力により、上蓋部Ａ２から分離する。これにより、需要者は、開口部Ａ３から、飲料を排出させることが可能になる。
なお、プルタブＡ４は、公知の方法により、上蓋部Ａ２に連結（固定）することができる。
【００２２】
その他、例えば、連結部位２の近傍に所定の切込み（図１中符号２１）を設けたり、該部分を他の部分よりも薄く形成したりしてもよい。
本考案に係るプルタブ缶Ａは、プルタブＡ４に所定形状の貫通孔１を形成しているため、リサイクル以外でも、飲食後に、そのプルタブＡ４を回収したいと考える需要者がいる可能性がある。
それに対し、プルタブＡ４を上記構成にして、プルタブＡ４と缶Ａ（又は上蓋部Ａ２）とを簡単に分離できるようにすることにより、プルタブＡ４の回収を容易にすることができる。
【００２３】
図柄３は、上蓋部Ａ２表面の、未開缶時にプルタブが重なる領域３１に配置する（図２参照）。
【００２４】
図２では、図柄３として、車椅子を連想させる図柄が配置されている。
上述の通り、本考案では、プルタブＡ４に、所定形状（図２ではハート型）の貫通孔１が設けられているため、需要者は、開缶時にプルタブＡ４に注目する。その際、需要者は、プルタブＡ４の貫通孔１を通して、缶の上蓋部に、何らかの図柄３が施されていることに気付く。
そして、需要者は、開缶時に、その図柄３が車椅子を連想させる図柄であることに気付き、同時に、プルタブＡ４を回収することにより、車椅子を購入できることを想起する。これにより、飲料缶Ａのリサイクルに対する需要者の関心を喚起することができる。
なお、図柄３は、図２に示す図柄に限定されず、例えば、リサイクルや環境保護などを連想させる図柄（リサイクルマークなど）を施してもよいし、また、特定のキャラクターなど、その他の商品イメージを向上させる図柄でもよい。
【００２５】
図柄３を上蓋部Ａ２に施す方法は、特に限定されない。例えば、予め、金型にその図柄の型を形成しておいた後、上蓋部Ａ２を成形することにより、上蓋部Ａ２に図柄３を配置するようにしてもよいし、公知の方法により、表面に直接印刷してもよい。また、公知の方法により、所定のプラスチックフィルムに印刷した後、そのフィルムを用いてラミネート加工し、図柄３を形成してもよい。
【００２６】
文字４は、開缶方法などのほか、図柄３に関連する文字を記述する。例えば、上蓋部Ａ２の周縁に沿って、「１．タブをおこす」、「２．タブをもどす」、「３．タブをあつめる」、「４．くるまいすをおくる」、などと記述することにより、需要者は、より明確に、プルタブＡ４を回収することにより、車椅子を購入できることを想起するため、飲料缶Ａのリサイクルに対する需要者の関心を喚起することができる。
また、例えば、特定のメッセージ又はコンセプトがある場合、そのメッセージなどを連想させる図柄３を、上蓋部Ａ２に施すとともに、上蓋部Ａ２に、そのメッセージなどに関連する文字４を記述してもよい。
【００２７】
文字４を上蓋部Ａ２に記述する方法は、特に限定されない。例えば、前記と同様、予め、金型にその文字型を形成しておいた後、上蓋部Ａ２を成形することにより、上蓋部Ａ２に記述してもよいし、印刷やラミネート加工により、上蓋部Ａ２に記述してもよい。
【００２８】
本考案に係るプルタブ缶は、アルミ缶、スチール缶のいずれにも適用可能であり、また、３ピース缶（缶本体、上蓋部、底蓋）、２ピース缶（有底の缶本体、上蓋部）のいずれにも適用可能である。
その他、缶の製造方法は、公知の技術を用いることができる。
【産業上の利用可能性】
【００２９】
本考案は、例えば、炭酸飲料、ビール、清涼飲料水、コーヒーなどの飲料缶、缶詰などの食料缶、などに適用することができる。
【図面の簡単な説明】
【００３０】
【図１】未開缶時における飲料缶の例を示す外観斜視模式図。
【図２】開缶時における飲料缶の例を示す外観斜視模式図。
【符号の説明】
【００３１】
１    プルタブに形成された貫通孔
２    飲料缶とプルタブとの連結部位
３    所定の図柄
４    所定の文字
Ａ    飲料缶
Ａ１  缶本体部
Ａ２  上蓋部
Ａ３  開口部
Ａ４  プルタブ
【図１】
0003114478.tif 000003
【図２】
0003114478.tif 000004